(57)【要約】  【課題】    接続端子を設置する必要がなく、端子の破損や接触不良を回避でき、製造コストを節約できる充電装置の提供。  【解決手段】    主に充電台座及び接受端から構成され、該充電台座内部に電源回路及び主動コイルが設置され、該電源回路が主動コイル及び外部電源と相互に接続され、該接受端が電子設備の内部に設置され、該接受端の内部に転換回路、電池及び感応コイルが設置され、該転換回路が電池及び感応コイルと相互に接続され、該感応コイルが該主動コイルと相互に対応し、該感応コイルが主動コイルの電磁感応を受けて交流電流を発生し、さらに転換回路を利用して該交流電流を直流電流に転換し、該直流電流を電池の充電に用いることを特徴とする。  【選択図】    図１ 
0003108034.tif 000002
【実用新案登録請求の範囲】
【請求項１】
主に充電台座及び接受端から構成され、該充電台座内部に電源回路及び主動コイルが設置され、該電源回路が主動コイル及び外部電源と相互に接続され、該接受端が電子設備の内部に設置され、該接受端の内部に転換回路、電池及び感応コイルが設置され、該転換回路が電池及び感応コイルと相互に接続され、該感応コイルが該主動コイルと相互に対応し、該感応コイルが主動コイルの電磁感応を受け交流電流を発生し、さらに転換回路を利用し該交流電流を直流電流に転換し、該直流電流を電池の充電に用いることを特徴とする、非接触式充電装置。  
【考案の詳細な説明】
【技術分野】
【０００１】
本考案は、非接触式充電装置に関し、特に、接続端子の設置を必要とせず、端子の破損や接触不良の状況の発生を回避でき、コスト節約が可能な充電装置に関する。
【背景技術】
【０００２】
電子技術の発展に伴い、消費型電子製品が人々の生活に急速に普及し、携帯電話やデジタルカメラ、PDA、ノートブックコンピュータ、MP３プレイヤー等の小型電子製品が広く使用されているが、これらの小型電子製品は、軽くて薄く、小さく作られている必要があるだけでなく、携帯して使用できなければならず、このため電池が必要となる。また、環境保護に対応するため、すでに大量の充電電池が使用されており、一般的によく使用される充電電池にはニッケルカドミウム電池、ニッケル水素電池及びリチウム電池などがあるが、充電電池はすべて充電装置を用いて電池の充電を行う必要がある。
【０００３】
図２に示すように、従来の充電装置は主に充電台座a及び電池bを含み、該充電台座a内部に充電回路a１が設置され、該充電回路a１はプラグa２及び出力端子a３と相互に接続され、該プラグa２及び出力端子a３は充電台座aの外部に設置される。電池bは電子製品cの内部に設置され、該電池bと入力端子b１が相互に接続され、該入力端子b１は電子製品cの外部に設置される。
【０００４】
上述の構造により、従来の充電装置は、前記プラグa２を電源が供給されるコンセント内に挿入し、コンセントの交流電流を充電回路a１内に取り込み、該充電回路a１が交流電流を直流電流に転換し、該直流電流を出力端子a３に導入する。前記電子製品c内部に設置された電池bの電力が消耗した後、出力端子a３と電子製品cの入力端子b１を相互に接続し、出力端子a３と入力端子b１の接続により直流電流を電池b内に流入させ、該電池bの充電を行う。
【０００５】
従来の充電装置は電子製品c内部の電池bを充電する時、出力端子a３と入力端子b１の相互接続により電力の伝送が行なわれ、該出力端子a３と入力端子b１は電力を伝送することができるよう、その相互に接触する部位は金属材で製造されている必要がある。しかしながら、金属材質は酸化しやすく、酸化後は表面に酸化層が形成され、該酸化層は絶縁性があるため、出力端子と入力端子間の接触不良を起こし、その電力伝達機能に影響する。
【０００６】
さらに、従来の充電装置における出力端子と入力端子は頻繁に抜き差しして使用すると相互に磨耗し、これも出力端子と入力端子間の接触不良の原因になる。
【０００７】
また、従来の充電装置は出力端子と入力端子を設置する必要があるため、製造コストが増加して市場競争力の低下につながる。
【考案の開示】
【考案が解決しようとする課題】
【０００８】
本考案は、上述の従来構造の欠点に鑑みて、考案者の該項事業における長年の経験に基づき研究を重ね、斬新な非接触式充電装置を提供するものである。
【０００９】
本考案の主な目的は、接続端子を設置する必要がなく、端子の破損や接触不良を回避でき、製造コストを節約できる充電装置を提供することにある。
【課題を解決するための手段】
【００１０】
上述の目的を達するため、本考案の非接触式充電装置は、主に充電台座及び接受端から構成され、該充電台座内に電源回路及び主動コイルを設置し、該接受端内に転換回路、電池及び感応コイルを設置することを特徴とする。
【考案の効果】
【００１１】
上述の構造により、本考案の非接触式充電装置における接受端は充電台座上に設けられ、該主動コイルと感応コイルが相互に近接しているため、電磁感応方式で電力を電源回路から転換回路に送ることができ、転換回路が電池に対し充電を行うため、接続端子を設置する必要がなく、これにより端子の破損や接触不良の問題の発生を回避でき、製造コストの節約にもつながる。
【考案を実施するための最良の形態】
【００１２】
本考案の構造、装置及びその特徴について、以下最良の実施例と図面に基づき詳細に説明する。
【００１３】
図１に示すように、本考案の非接触式充電装置は、主に充電台座１及び接受端２から構成され、該充電台座１内部に電源回路１０及び主動コイル１１を設置し、該電源回路１０は、該主動コイル１１及び外部電源３と相互に接続され、該接受端２は、電子設備の内部に設置され、該接受端２の内部に転換回路２０、電池２１及び感応コイル２２が設置され、該転換回路２０は電池２１及び感応コイル２２と相互に接続され、該感応コイル２２は主動コイル１１と相互に対応する。
【００１４】
上述の構造により、本考案の非接触式充電装置のうち該電源回路１０は、得使外部電源３が入力する交流電流を主動コイル１１に通過させ、該主動コイル１１は交流電流が通過する時電磁波を発生し、ファラデーの電磁誘導の法則(Faraday’s law of electromagnetic induction)に基づき、該主動コイル１１は感応コイル２２と相互に近接しているだけで、該感応コイル２２の周囲に感応起電力を形成し、該感応コイル２２は感応起電力の推動を受け交流電流を発生し、該感応コイル２２上の交流電流が転換回路２０内に流入し、さらに該転換回路２０が感応コイル２２上の交流電流を直流電流に転換し、該直流電流を電池２１の充電に用いる。
【００１５】
上述のように、本考案の非接触式充電装置のうち該接受端２は、充電台座１と相互に近接しているだけで、該充電台座１内の主動コイル１１が発生する電磁波に接受端２内の感応コイル２２周囲で感応起電力を形成させ、電磁感応方式で電力が電源回路１０から転換回路２０に送られ、いかなるケーブルや接点がなくとも電流を伝送することができ、継続した電流の入力が確立され、転換回路２０により交流電流を直流電流に転換し、電池２１に対し充電を行うことができる。この構造により、接続端子を設置する必要がないため、端子の破損または接触不良の問題の発生を回避することができ、製造コストの節約にもつながる。
【００１６】
上述のように、本考案の非接触式充電装置は、端子の破損または接触不良の問題を確実に回避することができ、同時にコスト節約の効果もあり、実用性と進歩性を兼ね備えているため、特許法に基づき、ここに実用新案登録の出願をするものである。
【図面の簡単な説明】
【００１７】
【図１】本考案の回路ダイアグラムである。
【図２】従来の充電装置の回路ダイアグラムである。
【符号の説明】
【００１８】
１        充電台座
２        接受端
３        外部電源
１０      電源回路
１１      主動コイル
２０      転換回路
２１      電池
２２      感応コイル
a        充電台座
a１      充電回路
a２      プラグ
a３      出力端子
ｂ        電池
ｃ        電子製品
【図１】
0003108034.tif 000003
【図２】
0003108034.tif 000004